(57)【要約】【課題】戻り水の水流量によって、適する水圧弁の開閉操作を行うことを可能とする調整型定圧バルブを提供する。【解決手段】定圧バルブ本体１０の底座２１の上に予め一つの戻り水の要路と定圧ポンプ本体１０の戻り水のパイプ口が相互に繋がることにより、ポンプの戻り水が定圧バルブ本体１０の底座２１の貯水室２９内に取り入れ、滑り軸２２上の異なるリンクの直径を有する階級軸面２３に合わせ、さらに戻り水の水流量の大きさに従って便利となるようにするために、異なる軸面の受ける力の変換によって、滑り軸２２を推すことを制御し、上下を不等な水流量を入れることにより到達させ、さらにバルブヘッド２４と固定バルブ座２７間の流通バルブの縁の大きさを開閉することにより制御することによって、戻り水を定圧するという使用されるという操作の目的に到達し、さらには、全てのポンプの出水量が、定圧さることにより、水流を順調とする実用の目的に達する。【選択図】  図１
0003123610.tif 000002
【実用新案登録請求の範囲】
【請求項１】
一つのバルブを具えた本体には定圧制御用の弾性部品が内蔵され、外部にはダイアル制御と減圧用の圧力調整バー及びダイアル抑制バーがピボット設置され、底座の内部には戻り水の要路と連動されるための滑り軸及びバルブ座の構造部品が設置され、
前記底座に内蔵された滑り軸の底端には異なるリンクの直径を具えた階級軸面を設け、分段式の異なる抗圧力の軸面を形成し、
前記底座の側面にはそれぞれ戻り水用の回流要路とポンプ本体の戻り水の要路を分けて設け、さらに相互に貫通させて、
前記底座のもう一方の側面には戻り水用の回流出水口を設け、固定座によって底座の端を封鎖し、該固定座の上方には定位バルブ座が敷設されることにより、固定座とバルブヘッドを一つの封鎖したバルブ口の状態に構成し、
滑り軸の階級軸面を利用することにより、戻り水の水流量が貯水室内に進入した水圧を分段して調整し、滑り軸を推してコントロールすることにより、バルブ口を開閉して、縁の大きさを切り替える効果を提供し、定圧バルブの操作を確保し、使用の際の安全性を有することを特徴とする調整式の定圧バルブ。
【考案の詳細な説明】
【技術分野】
【０００１】
本考案は調整式の定圧バルブであり、直接定圧バルブの底座に滑り軸を貫通して設置し、該滑り軸の底端を階級軸面状に設けてなり、さらに一つのバルブヘッドとバルブ座を接続することによって、一つの戻り水の流通のバルブ口を形成してなることにより、パイプが出水した後の戻り水が戻り水水路を経過して定圧バルブに進入した後、貯水室内に一つのクッション区間を形成してなり、戻り水の水圧の蓄積量に従い、滑り軸を異なる移動量に変換が可能としてなり、同時に底部のバルブヘッドと連動し、上下の滑動を行うことにより、戻り水の水流のバルブ口の大きさを調整し、さらに水圧によって変換を可能とし、さらに戻り水の水流のバルブ口の大きさを変換を簡易とし、循環システム内に、流動圧を定圧させる働きを具えることを確保するということを提供する。
【背景技術】
【０００２】
一般の伝統的な農業では噴霧器、或いは噴水の構造を水圧を増して使用している。水流の出水を定圧操作及び使用における圧力の超過の発生を防止するため、通常は機具の循環のパイプライン上に一つの安全定圧バルブの構造を配置させている。そして、定圧バルブを組合せることにより全てのパイプライン内部の圧力を設定を達成してなり、圧力の超過した使用時に、超過の部分は適時戻り水の水流設計を経由し、水流を減圧させてなり、高圧の機具を確保し、パイプラインの使用上において安全な維持を得る事を可能とするのが、公知の定圧バルブの構造設計である。
【０００３】
図６〜図８に示されるように、定圧バルブ全体は、一つの上部バルブ蓋３０及び底座３１が相互にロックされて組み合わさることによってなり、該上部バルブ蓋３０の内部にはバネ部品３２が装置され、底部には一つの圧力調整座３３と連帯して外に向って延伸された圧力調整バー３４が敷設されている。
前記上部バルブ蓋３０がバー本体に相対して組み合わせられた位置には、凹溝３５が設置されてなることにより、バー本体が片側のロックされて装置されたダイヤル制御バー３６によって推されてダイヤル制御操作を行うようにする。また、蓋体の頂上部には調整ネジバー３７がロックして装置されなり、バー本体の中段には定位プレート３８が設置されてなり、内蔵されたバネ部品３２が使用する圧力を具えた変換バルブを調整するのを便利なものとし、また上部バルブ蓋３０の底縁には突出したリンクプレート３９を形成し、さらに直接底座３１の先端の内縁に差し入れる。
該底座３１は片側に戻り水の排水管４０を設ける外に、内部に一つの圧力調整座３３を配置してなり、底部を滑りバー４１によって押し上げることによって、バー本体の上半部に密封部品４２差し入れて組合せてなり、もう一つの密封カバー４３に合わせてなり、さらに滑りバー４１が滑動制御した時には適当な漏れ防止の作用を備えてなり、バーの底端にはシール部４４と底端にロックして組み合わせられたバルブプレート４５が配置されてなり、相互に差込むことにより、バルブ構造全体を封鎖し、それによって安全な定圧の使用を提供する。
バルブ構造の全体の構造の設定は、それぞれ上部バルブ蓋３０及び底座３１に分かれて成型されるため、コストが高くなるだけでなく、組合せの時も上下に分別して組み合わせた後にまたロックして一緒に組み合わせるため、組合せ上において、内部の構造が変位するとったような不正確さが生じ易くなる。
さらに、圧力調整バー３４と圧力調整座３３は連体した固定式の設計を呈してなり、ダイヤル制御バー３６がダイヤルされるとき、常に干渉性のあるダイヤル制御を引き起こし、定圧調整が操作上において面倒で不便である状況を形成する。また、底座３１内の滑りバー４１を連動して用いてなり、好適な漏れ防止の性質が必要であるため、さらに圧力によって水が洩れることにより、使用時に於いて重圧の状況が生じることを回避するために、公知の滑りバー４１の漏れ防止の設計としては、通常バーの表面に突起状の密封部品４２を貫設してなり、その後に底座３１内部の階級管の縁に設置された密封カバー４３に合わせてなり、共に滑りバー４１に対し、漏れ防止の構造を形成してなる。また、バー底端のシール部４４と底座３１の底部にバルブプレート４５を固定して封じてなり、完全な定圧バルブの戻り水の出水要路と排水要路を構成する。バルブ全体は部品が多いだけでなく、その中の密封部品４２及び密封カバー４３は、上部バルブ蓋３０と底座３１によって相互に挟まれて定位されてなり、外側は螺子栓４６が組み合わさることにより固定され、滑りバー４１は、滑動を順調にするために常に油脂を塗布する必要がある。しかし、この行為は、破損及び洩れ防止の効果を提供する以外に、特殊な液体を使用時には汚損が生じる可能性があり、深刻な場合には変質してしまうこともある。また、全体の戻り水の水流量が一瞬変換する時は、しばしば滑りバー４１の動作は実施の水流量の変換に対応して、適時にバルブ口を開閉することができないため、出水の圧力に落差が生じる。さらにそれにより入水、出水時の音が順調でなくなる  ため、現行の定圧バルブは使用上において、実際にはその運用の圧力差により開閉をし、バルブ口の大きさを調整する時に、連動するコントロールする滑り面積の階級差により開閉時の延長の状況が生じるため、定圧の操作において克服しにくい状況を形成し、さらに構造部品が多数、または細かいため、組み立て上における不便性が増加する。
【特許文献１】特開平９−１２８０６０号公報
【考案の開示】
【考案が解決しようとする課題】
【０００４】
公知の構造には以下の欠点があった。
すなわち、バルブ構造の全体の構造の設定は、それぞれ上部バルブ蓋３０及び底座３１に分かれて成型されるため、コストが高くなるだけでなく、組合せの時も上下に分別して組み合わせた後にまたロックして一緒に組み合わせるため、組合せ上において、内部の構造が変位するとったような不正確さが生じ易くなる。
また、バルブ全体は部品が多いだけでなく、その中の密封部品４２及び密封カバー４３は、上部バルブ蓋３０と底座３１によって相互に挟まれて定位されてなり、外側は螺子栓４６が組み合わさることにより固定され、滑りバー４１は、滑動を順調にするために常に油脂を塗布する必要があり、しかしこの行為は、破損及び洩れ防止の効果を提供する以外に、特殊な液体を使用時には汚損が生じる可能性があり、深刻な場合には変質してしまうこともある
さらに、全体の戻り水の水流量が一瞬変換する時は、しばしば滑りバー４１の動作は実施の水流量の変換に対応して、適時にバルブ口を開閉することができないため、出水の圧力に落差が生じる。また、それにより入水、出水時の音が順調でなくなるようになる。そのため、現行の定圧バルブは使用上において、実際にはその運用の圧力差により開け閉めをし、バルブ口の大きさを調整する時に、連動するコントロールする滑り面積の階級差により開閉時の延長の状況が生じるため、定圧の操作において克服しにくい状況を形成し、加えて構造部品が多数、または細かい物であるため、組み立て上における不便性が増加する。
【課題を解決するための手段】
【０００５】
上記課題を解決するために、本考案は、一つのバルブを具えた本体には定圧制御用の弾性部品が内蔵され、外部にはダイアル制御と減圧用の圧力調整バー及びダイアル抑制バーがピボット設置され、底座の内部には戻り水の要路と連動されるための滑り軸及びバルブ座の構造部品が設置され、前記底座に内蔵された滑り軸の底端には異なるリンクの直径を具えた階級軸面を設け、分段式の異なる抗圧力の軸面を形成し、前記底座の側面にはそれぞれ戻り水用の回流要路とポンプ本体の戻り水の要路を分けて設け、さらに相互に貫通させて、前記底座のもう一方の側面には戻り水用の回流出水口を設け、固定座によって底座の端を封鎖し、該固定座の上方には定位バルブ座が敷設されることにより、固定座とバルブヘッドを一つの封鎖したバルブ口の状態に構成し、滑り軸の階級軸面を利用することにより、戻り水の水流量が貯水室内に進入した水圧を分段して調整し、滑り軸を推してコントロールすることにより、バルブ口を開閉して、縁の大きさを切り替える効果を提供し、定圧バルブの操作を確保し、使用の際の安全性を有することを特徴とする調整式の定圧バルブを提供する。
【考案の効果】
【０００６】
上記のように、本考案によれば、一つのバルブを具えた本体、定圧制御用の弾性部品が内蔵されてなり、外部にはダイアル制御と減圧用の圧力調整バー及びダイアル抑制バーがピボット設置されてなり、底座の側面には戻り水の要路と連動されるための滑り軸及びバルブ座の構造部品が設けられてなる本考案は、バルブ底座に内蔵された滑り軸の底端に異なるリンクの直径を具えた階級軸面を設けてなり、分段式の異なる抗圧力の軸面を形成することを提供してなり、底座の両側にはそれぞれ戻り水用の回流の要路とポンプ本体の戻り水の要路を分けて設けてなり、さらに相互に貫通させてなり、もう一方の側面には戻り水の出水口を設けてなり、固定座によって底座の端を封鎖してなることを特徴とし、該固定座の上方には定位バルブ座が敷設されてなることにより、固定座とバルブヘッドを一つの封鎖したバルブ口の状態に構成し、滑り軸の階級軸面を利用することにより、戻り水の水流量が貯水室内に進入した水圧を分段して調整し、滑り軸を推してコントロールすることにより、バルブ口を開閉して、縁の大きさを切り替える効果を提供し、定圧バルブの操作を確保し、安全に使用されることを確実とする。
さらに、異なる軸面の受ける力の変換によって、滑り軸を推すことを制御し、上下を不等な水流量を入れることにより到達させ、さらにバルブヘッドと固定バルブ座間の流通バルブの縁の大きさを開閉することによって制御することによって、戻り水を定圧するという使用されるという操作の目的、さらには、全てのポンプの出水量が、定圧されてなることにより、順調となる実用の目的に達することができる。
【考案を実施するための最良の形態】
【０００７】
本考案の好適な調整式の定圧バルブの構造を図面を参照して説明する。図１〜図５に示すように、バルブの改良構造の全体の設計であり、定圧バルブ本体１０は一体成型によって設けられてなり、リンク面の中段箇所にはそれぞれ相対する長孔１１が設けられ、頂上部の外側のリンク面には連接用のねじ山面１２が設けてあり、定位プレート１３及びロックハット１４により頭部をロックして封鎖してなり、該定圧バルブ本体１０の内部は順番に、一つの弾性部品１５が貫設されてなり、通常は捲かれてなるバネ部品を用いてなり、貫通した底端には予め滑り座１６が貫設されてなり、圧力調整バー１７に供給するため、長孔１１によって座体の外側に貫通してなり、その両側は定圧バルブ本体１０の外に向って適当な長さにまで延伸してなり、さらに螺子栓１８によって中央をピボット接合により定位することにより、圧力調整バー１７を連接した後にピボット回転を可能とし、ダイアルコントロールを省略する効果に達する。
また、ダイアルコントロールバー２０を連接するために、定圧バルブ本体１０の外側には突出した支え座１９が設けてあり、圧力調整バー１７がダイアルコントロールの操作を行うことに対し便利性を提供してなる。
さらに、もう片方の下半部分のバルブ底座２１の内部には、滑り連接してコントロールするために滑り軸を内蔵してなり、その底端には大きさが経口の大きさが異なるリンクの階級軸面２３が設けれてなり、また、底端にはバルブヘッド３４が連接され、相対して底座２１の底部は固定座２５によって予め密閉されてなり、並びに一方の側面には戻り水の出水口３６が設けられてなり、該固定座２５の上部には戻り水の流通バルブの座体２７が適当な箇所に定位されてなり、それにより中央の通し穴とバルブヘッド２４の間には一つの流通のバルブ口が共同して形成されてなり、さらに底座２１の一方の側面にはポンプ本体１０の戻り水の流れと相互に連通したことに合わせて、戻り水の要路２８が設けられてなり、これにより、ポンプの戻り水は戻り水の要路２８を経由して底座２１の内部の貯水室２９まで導引され、さらにもう一方の戻り水の出水口３６を経由して戻り、ポンプの給水による加圧に使用される。これにより、ポンプ使用の完全な定圧バルブの構造の設計となる。
本考案の調整式の定圧バルブの構造の改良は、特に戻り水の水流量に配合された設計であり、滑り軸２２の底端とバルブヘッド２４は相互に連結した位置において、異なるリンクの経口を具えた階級字工面２３を設けてなり、この異なる軸面によって生じた受ける圧力を変換し、バルブ口の大きさを分段して開閉することを可能とし、さらに異なる戻り水の水流量に合わせて異なる分段をコントロールする滑り軸22によって滑移動を行い、異なる流通のバルブ口の開閉コントロール操作を形成する。すなわち、バルブヘッド２４とバルブ座２７の間の流通バルブ口の縁の開きの大きさを変換することにより、異なる水流量の戻り水の流通の使用に提供され、定圧分段調整の実用の効果に到達する。
【０００８】
また、分段コントロールの滑り軸２２をバルブ口の分段開閉コントロールの設計には以下の利点がある。
まず、構造が簡単、組み立てが便利、組み立ての際に高い技術が不必要である為、全体の生産コストをより経済的なものとする。
次に、実際の定圧の効果がより俊敏で精確なものとなり、分段の定圧の調整のコントロールのため、ポンプの入水、出水の流動がより安定し、順調となる。
さらに、分段の開閉バルブの設計に、より進んでバルブ座２７とバルブヘッド２４の間を防止することにより、戻り水の高圧な切断を受けた時に摩損が生じる状況が大幅に減少し、相対して損耗が低下し、確実な漏れ防止の実用効果を提供することが出来る。
また、圧力の差を変換により、使用の際に生じる騒音と震動を大幅に低下させることにより、全体の流通回路及び機具の使用がより安定し、安全となる。
【０００９】
上述のように、本考案の調整式の定圧バルブ改良構造は、定圧バルブの底座の戻り水の通路にの側面から進出する水流の導引の設計であり、底部には固定座の密封及び定位バルブ座が合わせられ、さらに滑り軸の底端の階級軸面は水圧を分断する設計であり、一歩進んで全体のバルブ口の漏れ防止と安全性を保護する設計は、全ての出水、入水を安全に定圧し、並びにコントロールが簡単である実用的な効果を具えている。
【図面の簡単な説明】
【００１０】
【図１】本考案の調整式の定圧バルブ改良構造の組み立て時の立体分解図である。
【図２】本考案の調整式の定圧バルブの組みたて時の外観の参考図である。
【図３】本考案の調整式の定圧バルブの組み立て時の平面説明図である。
【図４】本考案の調整式の定圧バルブの滑移動の調整の平面説明図である。
【図５】本考案の調整式の定圧バルブの大きな戻り水の水量時における使用時の平面説明図である。
【図６】公知の定圧バルブの構造の組み立て時の立体分解図である。
【図７】公知の定圧バルブの構造の組み立て時の外観参考図である。
【図８】公知の定圧バルブの組み立て時の平面説明図である。
【符号の説明】
【００１１】
１０  定圧バルブ本体
１１  長孔
１２  ねじ山面
１３  定位プレート
１４  ロックハット
１５  弾性部品
１６  滑り座
１７  圧力調整バー
１８  螺子栓
１９  支え座
２０  ダイアルコントロールバー
２１  底座
２２  滑り軸
２３  階級軸面
２４  バルブヘッド
２５  固定座
２６  回流出水口
２７  バルブ座
２８  回流要路
２９  貯水室
３０  上部バルブ蓋
３１  底座
３２  バネ部品
３３  圧力調整座
３４  圧力調整バー
３５  長孔
３６  ダイアルコントロールバー
３７  螺子バー
３８  定位プレート
３９  リンクプレート
４０  回流管
４１  滑りバー
４２  密封部品
４３  密封カバー
４４  シール部
４５  バルブプレート
４６  螺子栓
【図１】
0003123610.tif 000003
【図２】
0003123610.tif 000004
【図３】
0003123610.tif 000005
【図４】
0003123610.tif 000006
【図５】
0003123610.tif 000007
【図６】
0003123610.tif 000008
【図７】
0003123610.tif 000009
【図８】
0003123610.tif 000010